(57)【要約】本発明は、一枚のチップで非接触型及び接触型の両機能を備えたＩＣチップを提供し、さらにそのチップを非接触型または接触型のＩＣカードとして都合良く機能させるためのカード及び携帯端末装置を提供する。ＩＣチップは、ＣＰＵ；  ＣＰＵと外部との間のデータ通信を可能にするための、ＣＰＵに接続した接触用インターフェース；  及びＣＰＵと外部との間の無線によるデータ通信を可能にするための、ＣＰＵに接続した非接触用インターフェース；  から構成される。また、ＩＣチップの非接触用インターフェースと電気的に接続可能なカードは、アンテナを有し、アンテナがＩＣチップの非接触用インターフェースと接続することによりＩＣチップの外部との無線データ通信を可能ならしめる。さらに、ＩＣチップの接触用インターフェースと電気的に接続可能な携帯端末装置は、ＣＰＵを有し、そのＣＰＵがＩＣチップの接触用インターフェースと接続してデータ通信することによりＩＣチップを接触型ＩＣチップとして機能させ得る。
2003105079.tif 000002
【特許請求の範囲】
【請求項１】
ＩＣチップであって：
ＣＰＵ；
該ＣＰＵと外部との間のデータ通信を可能にするための、前記ＣＰＵに接続した接触用インターフェース；及び
前記ＣＰＵと外部との間の無線によるデータ通信を可能にするための、前記ＣＰＵに接続した非接触用インターフェース；
から構成されるＩＣチップ。
【請求項２】
請求項１記載のＩＣチップであって：
前記接触用インターフェースを通じて外部電子機器とデータ通信をするために、前記接触用インターフェースが外部電子機器と電気的に接続可能である；
ことを特徴とするＩＣチップ。
【請求項３】
請求項２記載のＩＣチップであって：
前記非接触用インターフェースを通じて外部と無線データ通信をするために、前記非接触用インターフェースが外部無線機器と電気的に接続可能である；
ことを特徴とするＩＣチップ。
【請求項４】
請求項３記載のＩＣチップであって：
前記接触用インターフェースと非接触用インターフェースとが、ＩＣチップの異なる場所に設けられている；
ことを特徴とするＩＣチップ。
【請求項５】
請求項４記載のＩＣチップであって：
前記の外部電子機器と外部無線機器とを誤って接続することを防止するための物理的形状を有する；
ことを特徴とするＩＣチップ。
【請求項６】
請求項１記載のＩＣチップの非接触用インターフェースと電気的に接続可能なカードであって、アンテナを有し、該アンテナが前記ＩＣチップの非接触用インターフェースと接続することにより前記ＩＣチップの外部との無線データ通信を可能ならしめる、ところのカード。
【請求項７】
請求項６記載のカードであって、前記ＩＣチップを挿入させることにより全体として非接触型ＩＣカードとして機能し得る、ことを特徴とするカード。
【請求項８】
請求項１記載のＩＣチップの接触用インターフェースと電気的に接続可能な携帯端末装置であって、ＣＰＵを有し、該ＣＰＵが前記ＩＣチップの接触用インターフェースと接続してデータ通信することにより前記ＩＣチップを接触型ＩＣチップとして機能させ得る、ところの携帯端末装置。
【請求項９】
請求項５記載のＩＣチップの接触用インターフェースと電気的に接続可能な携帯端末装置であって、ＣＰＵを有し、該ＣＰＵが前記ＩＣチップの接触用インターフェースと接続してデータ通信することにより前記ＩＣチップを接触型ＩＣチップとして機能させることができ、前記ＩＣチップの前記物理的形状に対応する物理的形状を有することにより前記ＩＣチップの非接触用インターフェースとの接続を防止する、ことを特徴とする携帯端末装置。
【請求項１０】
請求項８記載の携帯端末装置であって、アンテナを有し、該アンテナが前記ＩＣチップの非接触用インターフェースと接続することにより前記ＩＣチップの外部との無線データ通信を可能ならしめる、ところの携帯端末装置。
【発明の詳細な説明】
技術分野
本発明は、一般にＩＣチップ並びにそれに接続するカード及び携帯端末装置に関し、特に１つのＩＣチップで接触型ＩＣカード及び非接触型ＩＣカードの両機能を果たしうるＩＣチップとそのためのカード及び携帯端末装置に関する。
背景技術
いわゆるＩＣカードには、リーダ／ライターとの間のデータの通信の仕方によって、接触型ＩＣカード及び非接触型ＩＣカードの２種類がある。図１に示すように、接触型ＩＣカード１２には、ＩＣチップ１０が内蔵されている。ＩＣチップ１０の内部には、ＣＰＵ，ＲＯＭ，ＲＡＭ，ＥＥＰＲＯＭ（図示せず）が設けられており、情報の入出力や処理を行う。電源がなくても記憶内容を保持する不揮発性の書き込み可能な記憶素子ＥＥＰＲＯＭが必要である。接触型ＩＣカード１２は、リーダライタ等への挿入時に、ＩＣカード１２の表面に設けた電気接点１４がリーダライタ内部のインターフェースと接触することで電気的に情報のやり取りを行い、電気接点１４を通じてＩＣカードに情報を書き込んだり読み取ったりする。
一方、図２に示すように、非接触型ＩＣカード２２に内蔵されているＩＣチップ２０内には、ＣＰＵ２１，ＲＯＭ２７，ＲＡＭ２３，ＥＥＰＲＯＭ２５から構成され情報処理等を行うマイクロプロセッサ２８がある。ＩＣチップ２０内には、さらにＲＦインターフェース回路２４が設けられている。ＩＣチップ２０は、通常コイルアンテナである内蔵アンテナ２６を介して、外部のリーダライタ等とＩＳＯ１４４４３による非接触通信を行うことによりデータの読出し及び書込みを行う。ＩＣチップ２０への電力も、アンテナ２６を通じて外部から供給されるのが通常である。非接触ＩＣカードは接触型ＩＣカードに比べ、リーダライタとの通信時の手間が少ないこと、また物理的な障害が起きにくいという利点がある。
一枚のカードに接触型ＩＣカード及び非接触型ＩＣカードの両機能を持たせたコンビ型ＩＣカードやハイブリッド型ＩＣカードが知られている。
図１に示すように、接触型ＩＣカード１２からＩＣチップ部分のみを抜き出して利用することにより接触型ＩＣカード機能をチップ化することが可能である。
一方、非接触型ＩＣカードでは、内蔵アンテナの小型化ができないことや、スロット部分の拡大化に伴う技術的問題のためにこのようなチップ化は実現できていない。従って、従来、これらの両カードは用途により使い分けられており、一枚のＩＣチップで両機能を備えるものはなかった。
なお、接触・非接触共用ＩＣカードに関する従来例としては、特開２０００−１１３１４８号公報（特許文献１）がある。他の従来例としては、特開２０００−１７２８１４号公報（特許文献２）がある。
特許文献１
特開２０００−１１３１４８号公報
特許文献２
特開２００１−１７２８１４号公報
発明の開示
そこで、本発明は、一枚のチップで非接触型及び接触型の両機能を備えたデュアルインターフェースを有するＩＣチップを提供し、さらにそのチップを非接触型または接触型のＩＣカードとして都合良く機能させるためのカード及び携帯端末装置を提供することを目的とする。
上記の目的を達成するための本発明の一特徴に従ったＩＣチップは、ＣＰＵ；
ＣＰＵと外部との間のデータ通信を可能にするための、ＣＰＵに接続した接触用インターフェース；及びＣＰＵと外部との間の無線によるデータ通信を可能にするための、ＣＰＵに接続した非接触用インターフェース；  から構成される。
本発明の他の特徴に従ったカードは、上記ＩＣチップの非接触用インターフェースと電気的に接続可能であって、アンテナを有し、このアンテナがＩＣチップの非接触用インターフェースと接続することによりＩＣチップの外部との無線データ通信を可能にすることができる。
さらに本発明の他の特徴に従った携帯端末装置は、上記ＩＣチップの接触用インターフェースと電気的に接続可能であって、ＣＰＵを有し、そのＣＰＵがＩＣチップの接触用インターフェースと接続してデータ通信することによりＩＣチップを接触型ＩＣチップとして機能させることができる。
本発明の一の特徴に従ったＩＣチップは、カードに挿入することで非接触型ＩＣカードとしての機能を果たし、また携帯端末装置に挿入することで接触型ＩＣカード及び非接触型ＩＣカードとしての両機能を果たすことができる。
発明を実施するための最良の形態
［第１実施例］
以下、図面を参照しながら本発明の実施例について詳しく説明する。図３は、本発明の第１実施例に従った接触・非接触型のデュアルインターフェースを有するＩＣチップの一例を示す。ＩＣチップ３０は、マイクロプロセッサ３２及び通信回路３４を有する。マイクロプロセッサ３２内には、例えば図２に示すようにＣＰＵ，ＲＯＭ，ＲＡＭ，ＥＥＰＲＯＭが設けられており、データの読み取りや書き込み等の処理が行われる。通信回路３４は、接触型ＩＣカード及び非接触型ＩＣカードとしての両機能を果たすための通信機能を発揮し、ＲＦンターフェース回路（図示せず）も有している。ＩＣチップ３０にはさらに、インターフェースとして、接触用インターフェース３６（ＩＳＯ７８１６）及び非接触用インターフェース３８（ＩＳＯ１４４４３）の両インターフェースが対向する辺にそれぞれ設けられている。ＩＣチップ３０は、チップのみであるため、非接触通信に必要となるアンテナは存在しない。
［第２実施例］
図４に示す第２実施例において、このＩＣチップ３０の非接触用インターフェース側３８を、アンテナを有するカード４０に挿入すると、非接触用インターフェース３８がカード４０内のアンテナ４６に接続され、全体として非接触型ＩＣカードとして機能する。そして、外部のリーダライタ等と非接触通信をして、ＩＣチップ３０内へのデータの書込み・読出が可能となる。
また、この挿入した状態のままで、露出している側の接触用インターフェース３６を用いて、接触型ＩＣカードとして機能することも可能である。つまり、カード４０と併用することにより、一枚のデュアルインターフェースのチップカード３６が接触・非接触どちらの形態にも対応可能となる。
［第３実施例］
図５に示す第３実施例において、ＩＣチップ３０を携帯端末装置５０に挿入すると、接触用インターフェース３６がＩ／Ｏ回路５３を介して携帯端末ＣＰＵ５１に接続され、ＩＣチップ３０が携帯端末装置５０内で接触型ＩＣカードとして機能する。より詳細に説明すると、先ずＩＣチップ３０の接触用インターフェース３６側を携帯端末装置５０のＩＣチップ挿入口に挿入する。ＩＣチップ３０と携帯端末装置５０内の接触インターフェース同士が通信可能となるため携帯端末装置５０からＩＣチップ３０へのデータの書込み・読出しが可能となる。また携帯端末装置５０がアンテナ５７を持つため、このアンテナ５７を用いることでＩＣチップ３０の接触用インターフェース３６を介した非接触通信も可能となる。
ユーザは、入出力デバイス５４を利用して、ＩＣカード３０にデータを読み書きしたり、データを表示させたりすることが可能である。
また、誤って非接触用インターフェース３８の側を携帯端末装置５０のＩ／Ｏ回路５３側に接続しないように、ＩＣチップの外形に所定の物理的形状（図示せず）を設け、携帯端末装置５０にもそれに対応する相補的な物理的形状を設けることにより、誤った方向の挿入を防止することができる。
［第４実施例］
次に、図６に示す第４実施例において、このＩＣチップ３０を携帯端末装置６０内に装着すると、接触用インターフェース３６がＩ／Ｏ回路５３を介して携帯端末ＣＰＵ５１に接続され、ＩＣカード３０が携帯端末装置６０内で接触型ＩＣカードとして機能する。ユーザは、入出力デバイス５４を利用して、ＩＣカード３０にデータを読み書きしたり、データを表示させたりすることが可能である。また、ＩＣカード３０の非接触用インターフェース３８を携帯端末装置６０に設けてある非接触用アンテナ５６に接続することにより、携帯端末装置５０を非接触型ＩＣカードとして機能させることも可能である。
また、誤って非接触用インターフェース３８の側を携帯端末装置６０のＩ／Ｏ回路５３側に接続しないように、ＩＣチップの外形に所定の物理的形状（図示せず）を設け、携帯端末装置６０にもそれに対応する相補的な物理的形状を設けることにより、誤った方向の挿入を防止することができる。
以上説明したように、本発明の実施例によれば、一枚のＩＣチップで接触型・非接触型の両機能を果たすことができる。接続する装置を変えることで接触通信・非接触通信のどちらをメインとするかを容易に選択することが可能である。携帯端末装置に挿入することで、ＩＣカード内のデータの閲覧や携帯機の通信網を利用したデータのダウンロード等が可能となる。また、アンテナ付きカードに挿入することで、非接触型ＩＣカードとして改札機等で簡便に利用することができる。
【図面の簡単な説明】
図１は、一般的な接触型ＩＣカードを示す図である。
図２は、一般的な非接触型ＩＣカードの内部構成を示す図である。
図３は、本発明の第１の実施例に従ったＩＣチップの一例を示す図である。
図４は、本発明の第２の実施例に従ったカードの一例を示す図である。
図５は、本発明の第３の実施例に従った携帯端末装置の一例を示す図である。
図６は、本発明の第４の実施例に従った携帯端末装置の一例を示す図である。
【図１】
2003105079.tif 000003
【図２】
2003105079.tif 000004
【図３】
2003105079.tif 000005
【図４】
2003105079.tif 000006
【図５】
2003105079.tif 000007
【図６】
2003105079.tif 000008
【国際調査報告】
2003105079.tif 000009
2003105079.tif 000010
2003105079.tif 000011
2003105079.tif 000012